(57)【要約】【課題】本発明は、ユニット本体の薄型化が可能なチューナモジュールを提供することを目的とする。【解決手段】チューナモジュール１２は、ユニット本体３１と円筒形の端子３２とから構成されている。ユニット本体３１は、矩形枠状のシャーシ３４とカバー３５，３６とで構成されている。ユニット本体３１の内部には、チューナ用プリント基板３７が収容されている。シャーシ３４の一側面には、端子３２が固定される端子固定部４９が形成されている。端子固定部４９は足部として機能し、端子固定部４９には、端子３２に形成された端子台座３３が固定される。ユニット本体３１の高さは、端子台座３３の直径より小さく、ユニット本体３１と回路基板３８との間に隙間が形成される。【選択図】        図３
2004229212.tif 000002
【特許請求の範囲】
【請求項１】
プリント基板を収容し、回路基板に間隔をおいて取り付けるための足部を有するシャーシと、該シャーシに固定される端子とを備えたチューナモジュールであって、
前記シャーシの一側部の一部に端子を固定するための端子固定部を形成し、
該端子固定部の下端を回路基板に当接させ、
該端子固定部と他の足部とにより前記シャーシを前記回路基板に間隔を置いて取り付け可能としたことを特徴とするチューナモジュール。
【請求項２】
前記シャーシの高さが、端子を保持する端子台座の径より小さく形成されていることを特徴とする請求項１記載のチューナモジュール。
【請求項３】
前記端子固定部の下端に前記回路基板に差込まれる差込部を形成したことを特徴とする請求項１記載のチューナモジュール。
【請求項４】
前記端子固定部は、前記端子台座の直径と略等しい高さに形成されたことを特徴とする請求項１記載のチューナモジュール。
【請求項５】
前記プリント基板は、前記端子の略中央より上にその基板面が位置するように前記シャーシ内部に固定されることを特徴とする請求項１記載のチューナモジュール。
【請求項６】
前記シャーシの開口面にカバーを取り付け、前記シャーシと前記カバーにより、プリント基板がシールドされていることを特徴とする請求項１記載のチューナモジュール。
【発明の詳細な説明】
【０００１】
【発明の属する技術分野】
本発明は、チューナモジュールに係り、特に、ユニット本体が薄型に形成されたチューナモジュールに関する。
【０００２】
【従来の技術】
ＶＴＲやＴＶ受像機には、ＢＳアンテナからの信号を入力し、ＢＳアンテナから供給された信号から所望のＢＳ放送信号を選局するチューナモジュールが内蔵されている。
【０００３】
チューナモジュールは、回路基板に配置されるが、ＶＴＲやＴＶ受像機等の装置を小型化するためには、チューナモジュールをできるだけ小型化、薄型化する必要がある。そこで、チューナモジュールを回路基板に配置するためのタイプとして、いわゆる伏型のチューナモジュールが知られている。この伏型タイプのチューナモジュールは、チューナ用プリント基板を内蔵する矩形枠状シャーシの４隅に足部を有し、この足部を回路基板に支持させる構成である。
【０００４】
この伏型タイプのチューナモジュールを回路基板に取り付けた場合、回路基板とチューナモジュールのユニット本体との間に足部の長さに見合う隙間が形成される。この隙間に電子回路や配線を配置できるため、回路基板のチューナモジュールを設置する部分のスペースも有効に活用することができる。
【０００５】
図６は、従来の伏型タイプのチューナモジュール１を示している。（ａ）は側面図、（ｂ）は正面図をそれぞれ示している。
【０００６】
チューナモジュール１は、ユニット本体２とユニット本体２に設けられる円筒形の端子３とを備えている。ユニット本体２は、ＢＳ放送を選局するためのチューナ用プリント基板とそのチューナ用プリント基板を収容するシャーシ４とからなる。端子３はシャーシ４に固定され、端子３より直径が大きい端子台座５に取り付けられる。端子台座５の直径は、シャーシ４に収まるように、シャーシ４の高さより小さく形成されている。
【０００７】
シャーシ４はその４隅に、足部６が設けられている。足部６の先端には差込部（図示せず）が形成され、ＶＴＲ等の装置に内蔵するための回路基板７に差し込まれることにより、チューナモジュール１が回路基板７に配置される。ユニット本体２と回路基板７との間に隙間を設けることによって、隙間に配線や他の電子部品の配置が可能となる（例えば、特許文献１参照。）。
【０００８】
【特許文献１】
特開２００１−１３６４６４号公報（第２頁、第４図）
【０００９】
【発明が解決しようとする課題】
ところで、図６に示すように、従来のチューナモジュールは、端子がユニット本体のシャーシに固定されるため、端子台座の直径よりユニット本体の高さを小さくできないという問題が生じる。
【００１０】
また、伏型タイプのチューナモジュールでは、ユニット本体のシャーシに足部が形成され、この足部を介して回路基板にチューナモジュールを配置するため、回路基板からチューナモジュールの上端までの高さが高くなる。したがって、回路基板上でのチューナモジュールのスペースが大きくなり、装置の小型化には限界がある。
【００１１】
本発明は、上述の点に鑑みてなされたものであり、ユニット本体の薄型化が可能なチューナモジュールを提供することを目的とする。
【００１２】
【課題を解決するための手段】
請求項１の発明は、プリント基板３７を収容し、回路基板３８に間隔をおいて取り付けるための足部４７を有するシャーシ３４と、該シャーシ３４に固定される端子３２とを備えたチューナモジュール１２であって、
前記シャーシ３４の一側部の一部に端子３２を固定するための端子固定部４９を形成し、
該端子固定部４９の下端を回路基板３８に当接させ、
該端子固定部４９と他の足部４７とにより前記シャーシ３４を前記回路基板３８に間隔を置いて取り付け可能としたことを構成としたものである。
【００１３】
請求項１記載の発明において、チューナモジュール１２のユニット本体３１の高さは、端子台座３３より小さく形成することができるため、ユニット本体３１の全体を薄型化することが可能となる。端子３２が取り付けられるシャーシ３４の端子固定部４９は、ユニット本体３１の高さより高く形成されているため、ユニット本体３１の足部４７として機能する。
【００１４】
チューナモジュール１２を装置の回路基板３８に設置したとき、ユニット本体３１に足部４７が形成されていることにより、ユニット本体３１と回路基板３８との間に隙間５０が設けられる。隙間５０の回路基板３８上に配線や他の電子部品及び半導体部品を配設できるので、省スペース化が可能である。ユニット本体３１の高さが小さくなったことにより、回路基板３８からチューナモジュール１２の上端までの高さが小さくなる。
【００１５】
請求項２の発明は、前記シャーシ３４の高さが、端子３２を保持する端子台座３３の直径より小さく形成されていることを構成としたものである。
【００１６】
請求項２記載の発明において、シャーシ３４に端子固定部４９を形成することにより、ユニット本体３１の高さを端子台座３３の直径より小さくすることができる。端子固定部４９に端子３２をかしめて固定することができるので、端子３２とシャーシ３４の固定が低コストである。
【００１７】
請求項３の発明は、前記端子固定部４９の下端に前記回路基板３８に差込まれる差込部４８を形成したことを構成としたものである。
【００１８】
請求項４の発明は、前記端子固定部４９は、前記端子台座３３の直径と略等しい高さに形成されたことを構成としたものである。
【００１９】
請求項４記載の発明において、端子固定部４９は、足部４７としても機能するので、回路基板３８からチューナモジュール１２の上端までの高さを端子台座３３の直径と略等しい高さにすることができる。
【００２０】
請求項５の発明は、前記プリント基板３７は、前記端子３２の略中央より上にその基板面が位置するように前記シャーシ３４内部に固定されることを構成としたものである。
【００２１】
請求項５記載の発明において、チューナ用プリント基板３７は、端子３２の端部４６略中央より上にその端部４６が位置するようにシャーシ３４内部に固定されることによって、ユニット本体３１と回路基板３８との間に隙間５０を形成することができる。
【００２２】
請求項６の発明は、前記シャーシ３４の開口面にカバー３５，３６を取り付け、前記シャーシ３４と前記カバー３５，３６により、プリント基板３７が覆われていることを構成としたものである。
【００２３】
なお、上記参照符号はあくまでも参考であり、これによって請求の範囲を限定するものではない。
【００２４】
【発明の実施の形態】
以下、本発明にかかる一実施形態のチューナモジュールを図面を参照して詳細に説明する。
【００２５】
図１は、本発明の実施例のチューナモジュール１２が使用されるＶＴＲ１１の概略構成図を示している。ＶＴＲ１１は、チューナモジュール１２と信号処理部１５と記録再生機構１６と制御部１８と操作部１９とから構成される。チューナモジュール１２は、アンテナ端子１３を有し、このアンテナ端子１３は、ＶＴＲ１１の背面から外部に表出される。アンテナ端子１３には、ＢＳアンテナ１４が接続される。
【００２６】
チューナモジュール１２は、ＢＳアンテナ１４から供給される電気信号から操作部１９により選択された所望のＢＳ放送波信号を選局し、復調して、出力端子２６から出力する。チューナモジュール１２の出力端子２６から出力されたデジタル信号は、信号処理部１５に供給される。信号処理部１５は、チューナモジュール１２から入力されるデジタル信号を表示、あるいは、磁気記録再生などに適した信号形態に変換する処理を行う。
【００２７】
記録再生機構１６は、信号処理部１５で変換された画像信号及びサウンド信号を磁気テープなどの記録媒体に記録すると共に、記録媒体に記録された画像信号及びサウンド信号を再生する機能を備える。モニタ１７には、信号処理部１５からモニタ１７の表示に適した信号に変換された信号が供給され、ＢＳアンテナ１４により受信された画像や記録再生機構１６により再生された画像が表示される。制御部１８は、操作部１９から入力されるユーザの指示に基づき、ＶＴＲ１１の全体の動作を制御する。
【００２８】
図２は、チューナモジュール１２のユニット本体２１内の概略を示している。チューナモジュール１２のユニット本体２１の内部にはチューナ用プリント基板２２が設置されている。チューナ用プリント基板２２には、高周波回路２３と復調回路２４とが形成されている。
【００２９】
また、チューナ用プリント基板２２にはアンテナ端子１３が接続されている。アンテナ端子１３には、ＢＳアンテナ１４からの電気信号が、チューナモジュール１２のアンテナ端子１３に入力される。ＢＳアンテナ１４からの電気信号は、アンテナ端子１３を経て高周波回路２３に供給され、ここで増幅等され振幅を一定とされる。続いて、周波数低減され操作者の選局操作に応じて選局された放送の信号がＩＦ（中間周波数）信号に変換されて、出力される。
【００３０】
ＩＦ（中間周波数）信号は、復調回路２４に入力され、デジタル信号に復調される。デジタル信号は、チューナモジュール１２の出力信号として出力端子２６から出力される。チューナモジュール１２の出力信号は、信号処理部１５に入力される。また、チューナモジュール１２の入力端子２５には、選局を行うための信号が入力されている。
【００３１】
図３は、本実施例のチューナモジュール１２の詳細を示している。（ａ）は上面図、（ｂ）は側面図、（ｃ）は正面図、（ｄ）は裏面図、をそれぞれ示している。図４は、チューナモジュール１２の分解構成図である。Ｘ１−Ｘ２は幅方向、Ｙ１−Ｙ２は長手方向、Ｚ１−Ｚ２は高さ方向である。
【００３２】
本実施例のチューナモジュール１２は、ユニット本体３１とユニット本体３１に設けられる円筒状の端子３２とから構成されている。端子３２は、接続部３９と端子台座３３とから構成されている。円筒状の接続部３９は、中心に信号端子Ｔａｎｔ４０が形成され、アンテナ等のコネクタが接続される。円筒状の端子台座３３は、接続部３９より直径が大きく、直径がＬ３である。尚、端子３２には、Ｆコネクタやその他のコネクタが使用される。
【００３３】
ユニット本体３１は、矩形枠状のシャーシ３４とカバー３５とカバー３６とで構成されている。このシャーシ３４、カバー３５，３６とにより、シールドケースが構成されている。ユニット本体３１の内部には、チューナ用プリント基板３７が収容されている。尚、プリント基板３７には、配線や他の電子部品及び半導体部品が搭載されている。
【００３４】
シャーシ３４は、金属板を打抜加工し、折曲することにより形成されており、Ｙ２方向の側板４１、Ｙ１方向の側板４２、Ｘ１方向の側板４３、Ｘ２方向の側板４４からなる矩形枠状に形成されている。
【００３５】
側板４１には、端子３２を固定するための端子固定部４９が形成されている。端子固定部４９の高さはＬ１で、端子台座の直径Ｌ３と略等しい高さに設定されている。端子固定部４９以外の部分の高さは、Ｌ２である。この端子固定部４９には、端子３２を取り付けるための穴４５が形成されている。端子３２は、その端部４６を穴４５に嵌合した後、端部４６をかしめることにより、シャーシ３４の側板４１に固定される。尚、側板４１の端子固定部４９をＸ１方向に延長することにより、複数個の端子を固定可能とできる。
【００３６】
側板４１のＸ１方向他端には、Ｚ２方向に高さがＬ１の足部４７が形成されている。端子固定部４９と足部４７のＺ２方向端部には、差込部４８が形成され、この差込部４８を回路基板３８に形成されたスルーホールに差し込み、回路基板３８に半田付けすることにより、ユニット本体３１が回路基板３８に固定される。
【００３７】
側板４２のＸ１，Ｘ２方向両端にも、Ｚ２方向に高さがＬ１の足部４７が形成されている。これらの足部４７にも同様に差込部４８が形成されている。側板４２の足部４７以外の部分は、高さがＬ２とされている。側板４３，４４の高さは、全てＬ２であり、ユニット本体３１の高さは略Ｌ２となる。これにより、ユニット本体３１の高さＬ２は、端子台座３３の直径Ｌ３より小さくすることができる。
【００３８】
また、側板４１のＸ２方向端部には、端子固定部４９が形成され、Ｘ１方向端部にはＺ２方向に足部４７とが延出している。この端子固定部４９及び足部４７により、チューナモジュール１２を回路基板３８に取り付けたときに、ユニット本体３１と回路基板３８との間に隙間５０が生じる。この隙間５０によりチューナモジュール１２の下に配線が行える。回路基板３８からチューナモジュール１２の上端までの高さがＬ１で、端子台座３３の径Ｌ３と略等しい高さにチューナモジュール１２を回路基板３８に設置することが可能となる。
【００３９】
シャーシ３４の側板４１，４２，４３，４４には、側板４１，４２，４３，４４の外側方向に凸状とされた平行な２本の係合部５１が形成されている。Ｚ１側の係合部５１には、カバー３５の爪部５７が係合し、カバー３５が取り付けられ、Ｚ２側の係合部５１には、カバー３６の爪部５８が係合し、カバー３６が取り付けられる。また、シャーシ３４の側板４１，４２，４３，４４には、側板４１，４２，４３，４４の内側方向に凸状の突起５２が形成されている。
【００４０】
チューナ用プリント基板３７は、Ｚ１方向からシャーシ３４の内側に挿入され、上面がシャーシ３４の突起５２に当接して、位置決めされ、裏面がシャーシ３４に半田付けされ、シャーシ３４に固定される。このとき、チューナ用プリント基板３７は、その基板面がユニット本体３１の略中央に位置し、端子３２の端部略中央より上に位置するようにシャーシ３４に固定される。
【００４１】
チューナ用プリント基板３７には、凹部５３が形成されている。凹部５３には、シャーシ３４にかしめられた端子３２の端部４６が嵌合する。端子３２内部の配線は、チューナ用プリント基板３７に接続される。チューナ用プリント基板３７のＸ１側には、端子５４，５５が延出している。端子５４，５５は、チューナ用プリント基板３７からＺ２方向に配置され、カバー３６に形成された穴５６を貫通して回路基板３８に半田付けされる。カバー３５は、高周波回路２３のみを覆う構成とされている。尚、カバー３５は、チューナ用プリント基板３７全体を覆うようにしても良い。
【００４２】
次に、シャーシ３４の組み立て方法について説明する。
【００４３】
図５は、シャーシ３４の組み立て前の平面図を示している。
【００４４】
シャーシ３４は、１枚の金属板をプレス加工して形成されており、側板４１，４２，４３，４４をコーナ部６１により連結した構成とされている。側板４１，４２には、差込穴６２が形成され、側板４３，４４には、差込部６３が形成されている。
【００４５】
側板４１とコーナ部６１の面とが垂直になるように折り曲げ、側板４４とコーナ部６１の面とが垂直になるように折り曲げる。側板４４の差込部６３は、側板４１の差込穴６２に差し込まれ、差込部６３をかしめることにより、側板４１と側板４４は固定される。他のコーナ部６１でも同様な操作が行われ、シャーシ３４は矩形枠状の形状に形成される。
【００４６】
次に、チューナモジュール１２のユニット本体３１を薄型化したときの寸法の変化について説明する。
【００４７】
従来の伏型のチューナモジュール１の場合、回路基板７からチューナモジュール１の上端までの高さは１５．８ｍｍである。本発明のユニット３１を薄型化した場合、回路基板３８からチューナモジュール１２の上端までの高さは１２．７２ｍｍで、従来のチューナモジュール１より約３ｍｍ高さを小さくすることができる。
【００４８】
本実施例によれば、チューナモジュール１２の回路基板３８からの突出量を端子台座３３の直径程度に薄型化することができる。
【００４９】
尚、端子３２は、ＢＳチューナに限定されるものではなく、地上波ＴＶチューナ、ＣＳチューナ、ＤＡＢチューナなどシャーシ側面より端子を延出する構造の他のチューナモジュールにも適用できる。
【００５０】
【発明の効果】
上述の如く、発明によれば、チューナモジュールのユニット本体の高さは、端子台座の直径より小さく形成することができるので、ユニット本体の全体を薄型化することが可能である。端子が取り付けられるシャーシの端子固定部は、ユニット本体の高さより高いので、ユニット本体の足部として機能する。チューナモジュールを装置の回路基板に設置したとき、ユニット本体と回路基板との間に隙間が設けられ、隙間の回路基板上に配線や他の電子部品及び半導体部品を配設できるので、省スペース化が可能である。回路基板からチューナモジュールの上端までの高さは、端子台座の直径と略等しい高さにすることができる。
【図面の簡単な説明】
【図１】本発明の実施例のチューナモジュールが使用されるＶＴＲの概略構成図を示している。
【図２】チューナモジュールのユニット本体内の概略を示している。
【図３】本実施例のチューナモジュールの詳細を示している。（ａ）は上面図、（ｂ）は側面図、（ｃ）は正面図、（ｄ）は裏面図、をそれぞれ示している。
【図４】チューナモジュールの分解構成図である。
【図５】シャーシの組み立て前の平面図を示している。
【図６】従来の伏型タイプのチューナモジュールを示している。（ａ）は側面図、（ｂ）は正面図をそれぞれ示している。
【符号の説明】
１，１２  チューナモジュール
２，２１  ユニット
３，１３，３２  端子
４，３４  シャーシ
５，３３  端子台座
６，４７  足部
７，３８  回路基板
１１  ＶＴＲ
１４  ＢＳアンテナ
２２，３７  チューナプリント基板
２５  高周波回路
２６  復調回路
３５，３６  カバー
３９  接続部
４０  Ｔａｎｔ
４５  穴
４９  端子固定部
５１  係合部
５７，５８  爪部
６１  コーナ部
【図１】
2004229212.tif 000003
【図２】
2004229212.tif 000004
【図３】
2004229212.tif 000005
【図４】
2004229212.tif 000006
【図５】
2004229212.tif 000007
【図６】
2004229212.tif 000008